(57)【要約】【課題】全体が大型化したり複雑になることを防ぎながら容易にドリルを着脱でき、特に、内部部品が曲がったり損傷したりすることを防いで穿孔機能と防水シール機能とを確保しながらドリルを取り外しできるサドル付分水栓用穿孔機を提供する。【解決手段】穿孔機本体１内に回転駆動するスピンドル２を上下動自在に設け、このスピンドル２の下端部２ａにドリル３を螺着したサドル付分水栓用穿孔機である。このサドル付分水栓用穿孔機は、スピンドル２を穿孔機本体１内に引上げた時に、このスピンドル２の頭部４を穿孔機本体１の上方端部６ａ内に位置させ、この頭部４を工具５で固定してスピンドル２の回転をロックさせた状態でドリル３を交換するものである。【選択図】      図１
2010110829.tif 000002
【特許請求の範囲】
【請求項１】
穿孔機本体内に回転駆動するスピンドルを上下動自在に設け、このスピンドルの下端部にドリルを螺着したサドル付分水栓用穿孔機であって、前記スピンドルを前記穿孔機本体内に引上げた時に、このスピンドルの頭部を前記穿孔機本体の上方端部内に位置させ、この頭部を工具で固定してスピンドルの回転をロックさせた状態で前記ドリルを交換するようにしたことを特徴とするサドル付分水栓用穿孔機。
【請求項２】
前記穿孔機本体の上方端部に設けたカバーに開口部を形成し、この開口部にシール機構を介してプラグを着脱自在に設けた請求項１に記載のサドル付分水栓用穿孔機。
【請求項３】
前記スピンドルを引上げた際、前記開口部内にスピンドルの頭部が露出するようにした請求項２に記載のサドル付分水栓用穿孔機。
【請求項４】
穿孔機本体内に回転駆動するスピンドルを上下動自在に設け、このスピンドルの下端部に螺着したドリルを交換するドリルの交換方法において、前記スピンドルを前記穿孔機本体内に引上げた時にこのスピンドルの頭部を前記穿孔機本体の上方端部から工具で固定してスピンドルの回動をロックし、一方、前記ドリルを工具で緩み方向に回動させてこのドリルをスピンドルの下端部より取り外すようにしたことを特徴とするサドル付分水栓用穿孔機のドリル交換方法。
【請求項５】
請求項４において、スピンドルの頭部を六角形等の角部に形成し、前記穿孔機本体の上方端部に形成した開口部にシール機構を介して着脱自在のプラグを取外し、この開口部より挿入したソケットレンチで前記角部を挿入固定して前記スピンドルをロックすると共に、前記ドリルに形成した平行二面部をレンチで緩み方向に回動させて前記ドリルをスピンドルの下端部より取り外すようにしたサドル付分水栓用穿孔機のドリル交換方法。
【請求項６】
前記スピンドルを穿孔機本体内の最上昇位置に引き上げた状態において、スピンドルの角部をソケットレンチで固定可能で、かつ、スピンドルの下端部がシール機構部を介して穿孔機本体内に収納した状態である請求項５に記載のサドル付分水栓用穿孔機のドリル交換方法。
【発明の詳細な説明】
【技術分野】
【０００１】
本発明は、配水管を穿孔する穿孔機、特に、サドル付分水栓が装着された配水管を不断水の状態で穿孔するサドル付分水栓用穿孔機とそのドリル交換方法に関する。
【背景技術】
【０００２】
従来より、サドル付分水栓が装着された配水管を不断水の状態で穿孔するための穿孔機としては、例えば、特許文献１の穿孔機がある。同文献１の穿孔機は、電動機からの動力を受けて回転する主軸と、この主軸に結合された穿孔用のドリルとを有している。また、特許文献２においては、水道配管穿孔用の穿孔カッターが開示されている。
【０００３】
この種の穿孔機では、ドリルが摩耗したり破損した際に、ドリルの研摩や交換が必要になっている。そのため、穿孔機のドリルは、通常、穿孔機の主軸であるスピンドルから着脱可能になっている。この場合、ドリルとスピンドルとはねじ接合によって接合され、スピンドルからドリルを取り外す際には、ドリルとスピンドルとの螺着を外すようになっている。
特許文献２のカッターには、カッターの着脱を容易にするために、レンチ等の工具を掛けるための二面巾が形成されている。
【０００４】
ところで、サドル付き分水栓用の穿孔機には内部に水が浸入する可能性があり、穿孔機の内部に浸水すると、電気ショートが起きたり、機械部品が錆びたりして不具合が発生するおそれがある。このため、サドル付き分水栓用の穿孔機は、内部に防水シール機構が設けられている。
【０００５】
また、ドリルをスピンドルに強く接合するために、ドリルの左回転により穿孔する穿孔機がある。この穿孔機は、スピンドルが回転したときにドリルがスピンドルに接合する方向に回転し、また、切削抵抗も働くことによって、より強固にドリルがスピンドルに接合するようになっている。これにより、この穿孔機は、穿孔時において、ドリルが緩んだり脱落したりすることを防ごうとしている。
【０００６】
【特許文献１】特開平６−３１５８０９号公報
【特許文献２】特開２００６−２４７８１１号公報
【発明の開示】
【発明が解決しようとする課題】
【０００７】
特許文献１や２の穿孔機においては、穿孔機に対するドリルの着脱に関する記載がされていない。このため、これらのドリルの交換方法は明らかではなく、また、ドリルの交換に伴うスピンドルをロックする構造も不明である。
【０００８】
また、ドリルとスピンドルとをねじ接合によって接合する穿孔機の場合には、この穿孔機に対してロック機構を設けると、上述の防水シール機構とによって構造が複雑化し、穿孔機全体の重量や全長も増加する。
一方、スピンドルをロックするためにこのスピンドルの先端側にレンチ等の工具を掛けるための二面巾を設けた場合には、二面巾の高さの分だけスピンドルが長くなり、延いては、穿孔機全体が大型化して作業性も低下する。更に、この場合には、サドル付き分水栓への固定用のアタッチメントの高さも高くなって全体の重量も増加することがある。
【０００９】
一方、ロック機構を設けない穿孔機の場合では、ドリルの取り外し時に、スピンドルにはモータの負荷や内部ギア等の減速機構の抵抗が加わっているものの、その回転を防ぎながらドリルのみを回転させることが難しくなっており、ドリルに掛けたレンチ等の工具を手で強打することでドリルのみを回転させる等の熟練が必要となっている。そのため、作業者によっては、スピンドルを飛び出させた状態でこのスピンドルにレンチを掛けてスピンドルを取り外す可能性がある。この場合、レンチによってスピンドルの外周に傷が付き、この傷によって防水シール機能が失われて内部に浸水することがあった。
【００１０】
しかも、二面巾を有する穿孔機のドリルを取り外す際は、スピンドルが奥まで収納されていない状態、例えば、スピンドルがある程度穿孔方向に飛び出した状態で二面巾にレンチ等を掛けて作業したときに、スピンドルの飛び出しによってこのスピンドルに曲げ方向の応力が加わって変形する可能性がある。スピンドルが曲がった場合、軸ブレが生じて正確に穿孔できなくなったり、防水シール機構によるシール性が低下したりする可能性がある。更に、このスピンドルの曲がりが大きくなると、スピンドルが上下動できなくなることもある。
更には、ドリルを左回転させて穿孔するタイプの穿孔機は、これらの傾向がより強くなり、スピンドルに対するドリルの接合が強く成り過ぎるため、ドリルの取り外しが一層困難になっている。
【００１１】
本発明は、上記の課題点に鑑みて開発したものであり、その目的とするところは、全体が大型化したり複雑化することを防ぎつつ容易にドリルを着脱でき、特に、内部部品が曲がったり損傷したりすることを防いで穿孔機能と防水シール機能とを確保しながらドリルを交換できるサドル付分水栓用穿孔機とサドル付分水栓用穿孔機のドリル交換方法とを提供することにある。
【課題を解決するための手段】
【００１２】
上記の目的を達成するため、請求項１に係る発明は、穿孔機本体内に回転駆動するスピンドルを上下動自在に設け、このスピンドルの下端部にドリルを螺着したサドル付分水栓用穿孔機であって、スピンドルを前記穿孔機本体内に引上げた時に、このスピンドルの頭部を穿孔機本体の上方端部内に位置させ、この頭部を工具で固定してスピンドルの回転をロックさせた状態でドリルを交換するようにしたサドル付分水栓用穿孔機である。
【００１３】
請求項２に係る発明は、穿孔機本体の上方端部に設けたカバーに開口部を形成し、この開口部にシール機構を介してプラグを着脱自在に設けたサドル付分水栓用穿孔機である。
【００１４】
請求項３に係る発明は、スピンドルを引上げた際、開口部内にスピンドルの頭部が露出するようにしたサドル付分水栓用穿孔機である。
【００１５】
請求項４に係る発明は、穿孔機本体内に回転駆動するスピンドルを上下動自在に設け、このスピンドルの下端部に螺着したドリルを交換するドリルの交換方法において、スピンドルを穿孔機本体内に引上げた時にこのスピンドルの頭部を穿孔機本体の上方端部から工具で固定してスピンドルの回動をロックし、一方、ドリルを工具で緩み方向に回動させてこのドリルをスピンドルの下端部より取り外すようにしたサドル付分水栓用穿孔機のドリル交換方法である。
【００１６】
請求項５に係る発明は、請求項４において、スピンドルの頭部を六角形等の角部に形成し、穿孔機本体の上方端部に形成した開口部にシール機構を介して着脱自在のプラグを取外し、この開口部より挿入したソケットレンチで角部を挿入固定してスピンドルをロックすると共に、ドリルに形成した平行二面部をレンチで緩み方向に回動させてドリルをスピンドルの下端部より取り外すようにしたサドル付分水栓用穿孔機のドリル交換方法である。
【００１７】
請求項６に係る発明は、スピンドルを穿孔機本体内の最上昇位置に引き上げた状態において、スピンドルの角部をソケットレンチで固定可能で、かつ、スピンドルの下端部がシール機構部を介して穿孔機本体内に収納した状態であるサドル付分水栓用穿孔機のドリル交換方法である。
【発明の効果】
【００１８】
請求項１に係る発明によると、全体が大型化したり複雑化することを防ぎながら容易にドリルを着脱でき、特に、スピンドル等の内部部品が曲がったり損傷したりすることを防いで、穿孔機能と防水シール機能とを確保しながらドリルを交換できるサドル付分水栓用穿孔機を提供できる。これにより、ドリルが摩耗や損傷した際には、穿孔機自体に故障等の不具合を生じさせることなく、簡単にドリルを交換できる。更に、内部構造を簡素化できるためメンテナンスも容易であり、また、重量の増加や全長が長くなることも抑えられて全体のコンパクト性が確保されるため、ドリル着脱時の作業性も向上する。
【００１９】
請求項２に係る発明によると、開口部からスピンドルの頭部を固定できるため、全体を分解することなくスピンドルの回転をロックできる。また、全体の分解が不必要であるため部品の紛失も防がれる。更に、開口部をワンタッチでプラグにより塞ぐことができ、開口部とプラグとのシール性を確保して水の浸入を防ぐことが可能である。また、開口部を小さく形成できることで、プラグ着脱時におけるゴミや塵等の異物の開口部からの浸入が最小限に抑えられる。
【００２０】
請求項３に係る発明によると、スピンドルを引き上げた状態で頭部を固定できるため、このスピンドルが本体の下方側から飛び出すことが防がれた状態でドリルを取り外しでき、スピンドル等の内部部品の変形や損傷が防がれる。
【００２１】
請求項４に係る発明によると、穿孔機が大型化したり複雑になることを防ぎながら容易にドリルを着脱でき、特に、スピンドル等の内部部品が曲がったり損傷したりすることを防いで、穿孔機能と防水シール機能とを確保しながらドリルを取り外しできるサドル付分水栓用穿孔機のドリル交換方法である。これにより、ドリルが摩耗や損傷した際には、穿孔機自体に故障等の不具合を生じさせることなく、簡単にドリルを交換できる。
【００２２】
請求項５に係る発明によると、通常時の防水シール性を確保しつつ、ドリルの交換時にのみ容易にスピンドルの頭部を露出させて、このスピンドルを汎用の工具を用いてロックした状態でドリルを簡単に取り外して交換することが可能になっている。
【００２３】
請求項６に係る発明によると、ドリル交換時に穿孔機下端側のシール性を確保でき、水の浸入を確実に防いで故障等を防ぐことができる。
【発明を実施するための最良の形態】
【００２４】
以下に、本発明におけるサドル付分水栓用穿孔機の実施形態を図面に基づいて詳細に説明する。
図１、２においては、本発明におけるサドル付分水栓用穿孔機の一例を示している。
図１において、穿孔機本体１には、スピンドル２と、ドリル３とが設けられている。
スピンドル２は、頭部４を有し、この頭部４は六角形等の角部に形成されている。この頭部４は、図２のソケットレンチ５により保持可能に設けられ、この状態でスピンドル２の回転がロックされるようになっている。また、頭部４は、スピンドル２が上下動した場合に、穿孔機本体１内に収納された状態が維持され、特に、スピンドル２が上方に移動したときに穿孔機本体１の上部側から突出しない状態が好ましい。
【００２５】
一方、図３に示すように、スピンドル２の下端部２ａには雌ネジ部７が形成され、この雌ネジ部７にドリル３の雄ネジ部８が螺着されている。また、このドリル３には、レンチ等の工具１３で把持可能な平行二面部９が形成され、ドリル３は、この平行二面部９を把持して回転することで、スピンドル２に対して着脱自在になっている。これにより、ドリル３は、摩耗や劣化したときに交換したり、或は、図４のサドル付分水栓１０の呼び径に応じて適宜の大きさの穿孔径を選択してスピンドル２に装着可能になっている。
【００２６】
また、穿孔機本体１には、図示しないモータ、ラック・ピニオン機構、及びハンドル１１が設けられている。スピンドル２は、モータの回転駆動により回転し、また、ハンドル１１の回転によりラック・ピニオン機構によって穿孔機本体１のケーシング６内を上下動自在になっている。そして、穿孔機本体１は、このスピンドルの上下動により、スピンドル２に装着したドリル３で配水管１２の分岐位置に穿孔できるようになっている。
【００２７】
図５、６に示すように、ケーシング６の上方端部６ａには固着ボルト１５によりカバー１６が固着されている。このカバー１６には、略円形状の開口部１７が形成され、更に、開口部１７の内周側には断面略Ｖ字形状のシール溝１８が形成されている。また、開口部１７の外周縁にはテーパ状の案内面１９が形成されている。開口部１７には、プラグ２０が配設される。
【００２８】
プラグ２０は、開口部１７に挿入するための装入部２１と、開口部１７の外側から被蓋するための被蓋部２２とを有している。更に、装入部２１の外周側には装着溝２３が形成され、この装着溝２３にはシール用Ｏリング２４が装着されている。このＯリング２４は、開口部１７のシール溝１８、案内面１９とともにシール機構２５を成している。一方、被蓋部２２の外周側には鍔状部２６が形成され、この鍔状部２６にはマイナスドライバ等の工具や、或は、指を掛けることが可能になっている。このような構成により、プラグ２０は、シール機構２５を介して開口部１７に着脱自在にシール状態で装着され、このとき、鍔状部２６に工具や指を掛けて引張ることで、開口部１７から抜き出し可能になっている。なお、プラグ２０は、図示しないワイヤー等により穿孔機本体１と接続しておき、紛失を防止するようにしてもよい。
【００２９】
また、図１に示すように、穿孔機本体１のスピンドル２の外周側には、シールリング２７とスピンドル外周面２８とによるシール機構部２９が設けられ、スピンドル２は、このシール機構部２９を介して穿孔機本体１内に収納され、シール状態で上下動するようになっている。
【００３０】
上記の構成において、穿孔機本体１は、スピンドル２を穿孔機本体１内に引上げたときに、このスピンドル２の頭部４が開口部１７内に露出した状態で位置し、この頭部４をソケットレンチからなる工具５で固定してスピンドル２の回転をロックした状態で、レンチでドリル３を交換できる構造になっている。
【００３１】
ここで、スピンドルの頭部４が開口部１７内に露出した状態とは、頭部４がカバー１６の肉厚の範囲内に位置する状態はもとより、開口部１７から挿入されたソケットレンチ５等の市販工具によって保持可能な位置にて頭部４が穿孔機本体１に内蔵されている状態をいう。
【００３２】
特に、穿孔機本体１内の最上昇位置まで引上げた状態におけるスピンドルの頭部４の位置が開口部１７から挿入したソケットレンチ５等の市販工具の先端部下限位置と略一致することにより、頭部４を保持可能とすることが好ましい。この構成によれば、ドリル３の着脱の際には、スピンドル２を穿孔機本体１内の最上昇位置まで引上げなければ、その頭部４をソケットレンチ５等で固定できないことから、作業者がスピンドル２を穿孔機本体１内に引上げることを促すことができ、スピンドル２の下端２ａが穿孔機本体１の下端１ａから突出した状態のままドリル３の着脱作業が行われてしまうことに伴うスピンドル２の変形等を低減することができる。この場合、プラグ２０の内側に頭部４を収容可能な凹状の収容部３６を形成しておくことにより、仮にプラグ２０を装着した状態で頭部４を穿孔機本体１内の最上昇位置まで引上げた場合に頭部４が収容部３６内に収容されることで、頭部４とプラグ２０とが干渉することがない。
【００３３】
本実施形態においては、開口部１７を穿孔機本体１のケーシング６の上方端部６ａに設けているが、開口部１７から挿入されたソケットレンチ５等の市販工具により、スピンドル２の頭部２ａを固定可能であれば、ケーシング６の上方側部であってもよい。
【００３４】
なお、本実施形態において、スピンドル２の下端部２ａにドリル３を螺着しているが、ドリルの代わりにホールソーやカッター等を穿孔用刃具として交換可能に設けてもよい。
また、スピンドル２の頭部４は六角形状以外であってもよく、スピンドル２を工具等で固定可能な形状であれば、あらゆる形状に形成することができる。更に、頭部４は、六角ボルト等によってスピンドル２と別体に形成してもよい。
【００３５】
続いて、サドル付き分水栓用穿孔機のドリル交換方法とサドル付分水栓用穿孔機の作用とを説明する。
先ず、ハンドル１１を回転させてスピンドル２を穿孔機本体１内に引上げ、図示しないストッパーの位置である、穿孔機本体１内における最上昇位置に配置する。
【００３６】
次いで、プラグ２０の鍔状部２６にマイナスドライバや指を掛け、このプラグ２０をカバー１６から取り外し、開口部１７を開ける。このとき、Ｏリング２４がシール溝１８の断面略Ｖ字形状によってガイドされることにより、容易にプラグ２０を抜き出すことが可能になっている。
【００３７】
そして、穿孔機本体１の上方端部６ａの開口部１７内にスピンドル頭部４を露出させた状態にし、開口部１７からソケットレンチ５を挿入して頭部４を挿入固定してスピンドル２を回転不能な状態にロックさせる。
このとき、スピンドル２を穿孔機本体１内における最上昇位置に引上げた状態で角部４を固定でき、かつ、その際にスピンドル２の下端部２ａがシール機構部２９を介して穿孔機本体１内に収納された状態が維持される。
【００３８】
この状態で、ドリル３の平行二面部９をレンチ等の工具で把持し、このドリル３を緩み方向に回動させてスピンドル２の下端部２ａより取り外す。この場合、上記のようにスピンドル２の下端部２ａが穿孔機本体１内に収納されているので、この穿孔機本体１の下端部１ａからスピンドル２が突出することがない。
【００３９】
次に、スピンドル下端部２ａの雌ネジ部７に雄ネジ部８を螺着させて交換用のドリル３を取付ける。この場合、上述のように、スピンドル２は回転不能な状態でロックされているので、工具１３によりドリル３を締付け方向に回転したときにも、スピンドル２に対して確実にドリル３を締付け固定できる。このことにより、スピンドル２にドリル３を強固に固定して、穿孔時には、ドリル３の脱落や芯ブレの発生等を防ぐことができ、サドル付分水栓１０により正確な穿孔穴を穿孔できるようになっている。
【００４０】
ドリル３の交換後には、頭部４からソケットレンチ５を外した状態にし、開口部１７から装入部２１を装入しながらプラグ２０を押付ける。これにより、Ｏリング２４が案内面１９により案内されながらスムーズにシール溝１８に嵌り、プラグ２０は、シール機構２５によるシール性が確保されながら開口部１７に固定される。
【００４１】
本発明のサドル付き分水栓用穿孔機は、上記のように、スピンドル２の頭部４を穿孔機本体１の開口部１７から露出する位置まで引き上げた状態で、頭部４をソケットレンチ５により挿入固定してスピンドル２の回転をロックさせた状態にし、この状態においてドリル３の平行二面部９を把持して回転させることでこのドリル３をスピンドル２から取り外して交換しているので、構造が複雑化することなく、また、スピンドル２を長く形成することなくドリル３のみを回転させて交換することができる。しかも、このとき、スピンドル２の下端部２ａが穿孔機本体１内に収納され、穿孔機本体１の下端部１ａからの突出が防がれるため、ドリル３をレンチで回転させたときにスピンドル２が曲がったり変形したりすることが防がれる。
更には、スピンドル２の固定時において、スピンドル２の下端部２ａがシール機構部２９によってシールされているので、スピンドル２とケーシング６との間から水が浸入することが防がれ、穿孔機本体１内が水に濡れたり錆びたりすることが防止される。
【００４２】
穿孔機本体１により配水管１２を穿孔する場合には、図４に示すように、穿孔機本体１のサドル付分水栓１０への取付け側にアタッチメントであるアダプタ３２を取付ける。また、配水管１２に対して、サドル付分水栓１０を、サドル・バンド３０を介してボルト・ナット３１により装着する。
【００４３】
その上で、ドリル３を装着した穿孔機本体１をアダプタ３２に接続する。この場合、図において、穿孔機本体１をアダプタ３２に調芯状態で載置させ、この穿孔機本体１に設けたユニオンナット３３をアダプタ３２に螺着することで、穿孔機本体１とアダプタ３２とが一体化し、穿孔機本体１が配水管１２に対して穿孔可能な状態になる。
【００４４】
配水管１２の穿孔時には、穿孔機本体１の電源コード３４を図示しない電源に接続し、電源スイッチ３５を入れる。この電源スイッチ３５の投入によりモータが回転すると、このモータの回転によりスピンドル２が回転し、スピンドル２先端側のドリル３が回転する。この状態で、ハンドル１１を送り方向に回転させることでドリル３が穿孔方向に下がって穿孔穴が穿孔される。この際、この穿孔作業で生じる切粉等は、サドル付分水栓１０の分岐側に接続される図示しないドレン弁から配水管１２の水道水とともに排出される。穿孔作業を終了した後には、ハンドル１１を送り方向と逆方向に回転させてドリル３を上げた後に、電源スイッチ３５を切ってモータの回転を停止させる。その後、サドル付分水栓１０を閉状態にし、ユニオンナット３３を緩めてアダプタ３２から穿孔機本体１を取り外す。
【００４５】
図７、８においては、プラグの他例を示している。なお、以降の例において、上記実施形態と同一部分は同一符号によって表し、その説明を省略する。同図において、プラグ４０は、被蓋部４１の高さが低く形成され、これにより、装着時にカバー１６からの突出部分が低くなっている。これによって、プラグ４０装着時の穿孔機本体１全体の高さが抑えられている。また、鍔状部４２とカバー１６との間の隙間も小さくなるため、このプラグ４０の抜き出し時には、マイナスドライバの先端側がカバー１６に接触し、てこの原理を利用して簡単にプラグ４０を取り外すことが可能になる。
【００４６】
図９においては、プラグの更に他例を示している。このプラグ４４は、装入部４５の外周におねじ４６が形成され、一方、カバー４７の開口部４８にはこのおねじ４６が螺着可能なめねじ４９が形成されている。また、被蓋部５０のカバー４７への当接面側には装着溝５１が形成され、この装着溝５１にＯリング５２が収納されている。この場合には、プラグ４４を螺子込みによってカバー４７にシールしながら着脱可能であり、工具を用いることなく頭部４を開口部４８より露出させることができる。
【００４７】
更に、図１０においては、プラグ部分をカバー５４に一体形成したものであり、この場合、カバー５４をケーシング５５の上方端部５５ａに直接螺着して着脱できるため、簡単な構造によりカバー５４のみによる開口部５６の開口構造を形成することが可能になっている。このように、必ずしもカバーとプラグとを別体に形成してカバーにプラグを着脱する構造に設ける必要はなく、穿孔機本体の上方端部を開口部により開口し、この開口部からスピンドル頭部が固定できる構造であれば、その構造には拘らない。
【００４８】
図１１においては、カバーの更に他例を示している。この場合にも図１０の場合と同様に、カバー５７のみによって開口部５８の被蓋が可能になっている。この場合、カバー５７は固着ボルト１５によりケーシング６０の上方端部６０ａに直接螺着により着脱する。
【図面の簡単な説明】
【００４９】
【図１】本発明におけるサドル付分水栓用穿孔機の一例を示した一部切欠き正面図である。
【図２】図１のサドル付分水栓用穿孔機のスピンドルをロックする状態を示した斜視図である。
【図３】サドル付分水栓用穿孔機のドリル取付け部位を示す一部拡大断面図である。
【図４】サドル付分水栓用穿孔機をサドル付き分水栓に装着する状態を示した斜視図である。
【図５】穿孔機の上方端部付近を示した一部拡大斜視図である。（ａ）は、プラグを装着した状態を示す一部拡大斜視図である。（ｂ）は、プラグを取り外した状態を示す一部拡大斜視図である。
【図６】図５の断面図である。
【図７】プラグの他例を示す一部拡大斜視図である。
【図８】図７の断面図である。
【図９】プラグの更に他例を示した断面図である。
【図１０】カバーの他例を示した断面図である。
【図１１】カバーの更に他例を示した断面図である。
【符号の説明】
【００５０】
１  穿孔機本体
２  スピンドル
２ａ  下端部
３  ドリル
４  角部（頭部）
５  ソケットレンチ（工具）
６ケーシング
６ａ  上方端部
９  平行二面部
１６  カバー
１７  開口部
２０  プラグ
２５  シール機構
２９  シール機構部
【図１】
2010110829.tif 000003
【図２】
2010110829.tif 000004
【図３】
2010110829.tif 000005
【図４】
2010110829.tif 000006
【図５】
2010110829.tif 000007
【図６】
2010110829.tif 000008
【図７】
2010110829.tif 000009
【図８】
2010110829.tif 000010
【図９】
2010110829.tif 000011
【図１０】
2010110829.tif 000012
【図１１】
2010110829.tif 000013